(57)【特許請求の範囲】
【請求項１】
異なるＡＶ記録媒体を複数個のピックアップ（４８，４９）により並列に再生自在になっており各ピックアップ（４８，４９）の読み取りに基づく信号を並列に出力する並列出力モードと複数個のピックアップ（４８，４９）を１個ずつ読み取り作動させて各ピックアップ（４８，４９）の読み取りに基づく信号を直列に出力する直列出力モードとをもつ複数ピックアップ付きＡＶ再生装置（２１）、各部屋（１１，１２，１３）にリモートコントローラ（２７）及びリモコン信号受信部（２８）と共に配設されＡＶ信号を出力するＡＶ出力装置（２５ａ，２５ｂ）、及び前記複数ピックアップ付きＡＶ再生装置（２１）からの入力信号に基づくＡＶ信号を各部屋（１１，１２，１３）の前記ＡＶ出力装置（２５ａ，２５ｂ）へ配信自在であるとともに各リモコン信号受信部（２８）を介して各リモートコントローラ（２７）からの指令を受信するＡＶ制御装置（２０）を有し、
１個の部屋（１２，１３）に対して前記複数ピックアップ付きＡＶ再生装置（２１）の１個のピックアップ（４８，４９）を割り当てるとともに、他の１個の部屋（１２，１３）に対して前記複数ピックアップ付きＡＶ再生装置（２１）の他の１個のピックアップ（４８，４９）を割り当てるマルチルームモードと、１個の部屋（１２，１３）に対して前記複数ピックアップ付きＡＶ再生装置（２１）の複数個のピックアップ（４８，４９）を割り当てるシングルルームモードとが設定され、
前記ＡＶ制御装置（２０）は、それが配設されている部屋（１１）以外の部屋（１２，１３）におけるリモートコントローラ（２７）よりマルチルームモード及びシングルルームモードの切替指令を受信してマルチルームモード及びシングルルームモードを切替え自在であり、
マルチルームモードでは、前記複数ピックアップ付きＡＶ再生装置（２１）を並列出力モードへ切替えるとともに、前記複数ピックアップ付きＡＶ再生装置（２１）の並列出力に基づく各ＡＶ信号を、各ピックアップ（４８，４９）が割り当てられている部屋（１２，１３）のＡＶ出力装置（２５ａ，２５ｂ）へ配信し、
シングルルームモードでは、前記複数ピックアップ付きＡＶ再生装置（２１）を直列出力モードへ切替えるとともに、前記複数ピックアップ付きＡＶ再生装置（２１）の直列出力に基づくＡＶ信号を、シングルルームモードに係る部屋（１２，１３）のＡＶ出力装置（２５ａ，２５ｂ）へ配信することを特徴とするマルチルーム用ＡＶシステム。
【請求項２】
前記ＡＶ制御装置（２０）が、或る部屋（１２，１３）に対してのシングルルームモードに設定されている場合に、その部屋（１２，１３）のリモートコントローラ（２７）からの指令を所定時間受け付けなかったときは、その部屋（１２，１３）のシングルルームモードからの他の部屋（１２，１３）のシングルルームモードへ切替えることを特徴とする請求項１記載のマルチルーム用ＡＶシステム。
【請求項３】
前記ＡＶ制御装置（２０）は、マルチルームモードになっている場合に所定の部屋（１２，１３）のリモートコントローラ（２７）からの指令を所定時間受け付けなかったときは、その所定の部屋（１２，１３）とは別の部屋（１２，１３）のシングルルームモードへ切替えることを特徴とする請求項１又は２記載のマルチルーム用ＡＶシステム。
【請求項４】
シングルルームモードには、そのシングルルームモードに対して複数個の前記ピックアップ（４８，４９）が割り当てられている部屋（１２，１３）のＡＶ出力装置（２５ａ，２５ｂ）へＡＶ制御装置（２０）から配信するＡＶ信号を他のリモートコントローラ（２７）のＡＶ出力装置（２５ａ，２５ｂ）へも配信する第１のシングルルームモードと、他の部屋（１２，１３）のＡＶ出力装置（２５ａ，２５ｂ）へは配信しない第２のシングルルームモードとが存在し、前記ＡＶ制御装置（２０）は、各部屋（１２，１３）の前記リモートコントローラ（２７）からの指令により第１及び第２のシングルルームモードを切替えるようになっていることを特徴とする請求項１〜３のいずれかに記載のマルチルーム用ＡＶシステム。
【発明の詳細な説明】
【０００１】
【発明の属する技術分野】
この発明は、各部屋のユーザが、２ピックアップ付きＣＤ（コンパクトディスク）プレーヤ等の複数ピックアップ付きＡＶ再生装置を共用して、各部屋のスピーカ等のＡＶ出力装置よりＣＤの音楽を聞ける等したマルチルーム用ＡＶ（Ａｕｄｉｏ  Ｖｉｄｅｏ：音声・映像）システムに関するものである。
【０００２】
【従来の技術】
多数枚のＣＤを予め装備させるとともに、個々に制御自在の２個のピックアップを有し、選択された２枚の異なるＣＤを、２個のピックアップを使って、再生できるＣＤプレーヤは公知である。そして、２ピックアップ付きＣＤプレーヤには直列出力モード及び並列出力モードが設定され、直列出力モードでは、一方のピックアップにより第１のＣＤを再生している間、他方のピックアップは別の第２のＣＤに対して休止（ｐａｕｓｅ）状態にされ、第１のＣＤの曲の再生が終わるや、直ちに、他方のピックアップにより第２のＣＤの曲を再生開始して、第１のＣＤの曲から第２のＣＤの曲への切替時間を短縮できるようになっている。また、並列出力モードでは、２枚のＣＤを同時に再生し、あたかも２台のＣＤプレーヤがあるかのようにしている。
【０００３】
一方、ＣＤプレーヤ等を家庭内の特定の部屋に集中配置するとともに、他の部屋には、スピーカ及び／又はディスプレーを配置し、ユーザは、各部屋からリモートコントローラを操作して、ＣＤプレーヤ等のからの音楽等を聞けるようにしたマルチルーム用ＡＶシステムも知られている（例：特開平４−３７３９２号公報及び特開平４−３１６２９８号公報等）。
【０００４】
【発明が解決しようとする課題】
しかしながら、２ピックアップ付きＣＤプレーヤを、これを共有し、各部屋のスピーカ等のＡＶ出力装置によってＣＤの音楽を聞けるようにすること等によって、有効利用できるようにしたマルチルーム用ＡＶシステムは、未だ存在しない。
この発明の目的は、２ピックアップ付きＣＤプレーヤ等の複数ピックアップ付きＡＶ再生装置を、これを共用し、各部屋のスピーカ等のＡＶ出力装置によってＣＤの音楽を聞けるようにすること等によって、有効利用できるようにしたマルチルーム用ＡＶシステムを提供することである。
【０００５】
【課題を解決するための手段】
この発明のマルチルーム用ＡＶシステム（１０）は、異なるＡＶ記録媒体を複数個のピックアップ（４８，４９）により並列に再生自在になっており各ピックアップ（４８，４９）の読み取りに基づく信号を並列に出力する並列出力モードと複数個のピックアップ（４８，４９）を１個ずつ読み取り作動させて各ピックアップ（４８，４９）の読み取りに基づく信号を直列に出力する直列出力モードとをもつ複数ピックアップ付きＡＶ再生装置（２１）、各部屋（１１，１２，１３）にリモートコントローラ（２７）及びリモコン信号受信部（２８）と共に配設されＡＶ信号を出力するＡＶ出力装置（２５ａ，２５ｂ）、及び複数ピックアップ付きＡＶ再生装置（２１）からの入力信号に基づくＡＶ信号を各部屋（１１，１２，１３）のＡＶ出力装置（２５ａ，２５ｂ）へ配信自在であるとともに各リモコン信号受信部（２８）を介して各リモートコントローラ（２７）からの指令を受信するＡＶ制御装置（２０）を有している。１個の部屋（１２，１３）に対して複数ピックアップ付きＡＶ再生装置（２１）の１個のピックアップ（４８，４９）を割り当てるとともに、他の１個の部屋（１２，１３）に対して前記複数ピックアップ付きＡＶ再生装置（２１）の他の１個のピックアップ（４８，４９）を割り当てるマルチルームモードと、１個の部屋（１２，１３）に対して複数ピックアップ付きＡＶ再生装置（２１）の複数個のピックアップ（４８，４９）を割り当てるシングルルームモードとが設定される。ＡＶ制御装置（２０）は、それが配設されている部屋（１１）以外の部屋（１２，１３）におけるリモートコントローラ（２７）よりマルチルームモード及びシングルルームモードの切替指令を受信してマルチルームモード及びシングルルームモードを切替え自在である。マルチルームモードでは、複数ピックアップ付きＡＶ再生装置（２１）を並列出力モードへ切替えるとともに、複数ピックアップ付きＡＶ再生装置（２１）の並列出力に基づく各ＡＶ信号を、各ピックアップ（４８，４９）が割り当てられている部屋（１２，１３）のＡＶ出力装置（２５ａ，２５ｂ）へ配信する。シングルルームモードでは、複数ピックアップ付きＡＶ再生装置（２１）を直列出力モードへ切替えるとともに、複数ピックアップ付きＡＶ再生装置（２１）の直列出力に基づくＡＶ信号を、シングルルームモードに係る部屋（１２，１３）のＡＶ出力装置（２５ａ，２５ｂ）へ配信する。
【０００６】
複数ピックアップ付きＡＶ再生装置（２１）とＡＶ制御装置（２０）とは、同じ部屋（１１，１２，１３）に配置されることに限定されず、別々の部屋（１１，１２，１３）に配置されていてもよい。複数ピックアップ付きＡＶ再生装置（２１）が装備するピックアップ（４８，４９）の個数は、２個に限定されず、３個以上でもよい。ＡＶは、本明細書では、音声及び映像の両方を含む場合だけでなく、それらの一方のみ、すなわち音声のみ、又は映像のみを意味する場合にも適用される。したがって、複数ピックアップ付きＡＶ再生装置（２１）、ＡＶ記録媒体、ＡＶ出力装置（２５ａ，２５ｂ）、及びＡＶ信号の各ＡＶについても、音声及び映像の両方の場合だけでなく、音声のみ及び映像のみの場合にも適用される。例えば、ＡＶ記録媒体には、ＣＤの他に、ＭＤ（ミニディスク）、ＬＤ（レーザーディスク）、ビデオＣＤ、ＤＶＤ（Ｄｉｇｉｔａｌ  Ｖｅｒｓａｔｉｌｅ  Ｄｉｓｃ）等も含まれる。
【０００７】
ユーザは、各部屋（１２，１３）のリモートコントローラ（２７）を使って、マルチルームモード及びリモートコントローラ（２７）を切替えることができる。或る部屋（１２，１３）のユーザがマルチルームモードを指示した場合には、複数ピックアップ付きＡＶ再生装置（２１）は並列出力モードとされ、並列出力モードの各ピックアップ（４８，４９）は所定の１個の部屋（１２，１３）用に割り当てられ、各ピックアップ（４８，４９）によるＡＶ信号が複数ピックアップ付きＡＶ再生装置（２１）より並列出力される。ＡＶ制御装置（２０）は、複数ピックアップ付きＡＶ再生装置（２１）の並列出力に基づく各ＡＶ信号を各部屋（１２，１３）のＡＶ出力装置（２５ａ，２５ｂ）へ出力し、各部屋（１２，１３）のユーザは、ピックアップ（４８，４９）に対応する音声や映像を視聴（本明細書において、前述のＡＶの定義に対応して、「視聴」とは、見ること聞くことの両方を意味する場合だけでなく、音楽等の場合のように、聞くことのみを意味する場合や、音無しの映像を見ることのみを意味する場合も含むものとする。）できる。また、或る部屋（１１，１２，１３）のユーザがシングルルームモードを指示した場合には、複数ピックアップ付きＡＶ再生装置（２１）は直列出力モードとされ、複数ピックアップ付きＡＶ再生装置（２１）の複数個のピックアップ（４８，４９）が、その或る部屋（１２，１３）用に割り当てられ、これにより、１個のピックアップ（４８，４９）の読み取り作動中は、他のピックアップ（４８，４９）は休止状態で待機され、これにより、その或る部屋（１１，１２，１３）では、ＡＶ記録媒体の切替時の切替時間を短縮できる。
【０００８】
この発明のマルチルーム用ＡＶシステム（１０）によれば、ＡＶ制御装置（２０）が、或る部屋（１２，１３）に対してのシングルルームモードに設定されている場合に、その部屋（１２，１３）のリモートコントローラ（２７）からの指令を所定時間受け付けなかったときは、その部屋（１２，１３）のシングルルームモードからの他の部屋（１２，１３）のシングルルームモードへ切替える。
【０００９】
ＡＶ制御装置（２０）が、リモコン信号受信部（２８）を介して受け付ける各リモートコントローラ（２７）からの指令には、マルチルームモード及びシングルルームモードの切替指令だけでなく、複数ピックアップ付きＡＶ再生装置（２１）の再生や巻取り等の他の指令も含まれる。長時間の再生中は、ユーザが、モード切替を含む操作を長時間にわたり行わないことがあるので、非再生時に限定して、ＡＶ制御装置（２０）がその部屋（１２，１３）のリモートコントローラ（２７）からの指令を所定時間受け付けなかったときには、他の部屋（１２，１３）のシングルモードの切替を行ってもよい。すなわち、再生中は、たとえ指令を所定時間受付けなくても、切替は中止することも可能である。
【００１０】
或る部屋（１２，１３）のユーザからのシングルルームモードへの切替指令により複数ピックアップ付きＡＶ再生装置（２１）の複数個のピックアップ（４８，４９）がその或る部屋（１２，１３）用に供されても、その或る部屋（１２，１３）のユーザが複数ピックアップ付きＡＶ再生装置（２１）の使用を止めたときは、その或る部屋（１２，１３）用にシングルルームモードを割当てて置く意義はなくなる。したがって、或る部屋（１２，１３）のリモートコントローラ（２７）から指令が所定時間発せられなかったときは、そのユーザが複数ピックアップ付きＡＶ再生装置（２１）の使用を止めたときと判断することができ、その場合は、ＡＶ制御装置（２０）は、その或る部屋（１２，１３）用のシングルルームモードを止めて、他の部屋（１２，１３）用のシングルルームモードに複数ピックアップ付きＡＶ再生装置（２１）の複数個のピックアップ（４８，４９）を割り当てて、複数ピックアップ付きＡＶ再生装置（２１）を他の部屋（１２，１３）のユーザの使用に供して、便宜を与えることができる。
【００１１】
この発明のマルチルーム用ＡＶシステム（１０）によれば、ＡＶ制御装置（２０）は、マルチルームモードになっている場合に所定の部屋（１２，１３）のリモートコントローラ（２７）からの指令を所定時間受け付けなかったときは、その所定の部屋（１２，１３）とは別の部屋（１２，１３）のシングルルームモードへ切替える。
【００１２】
或る部屋（１２，１３）のユーザからのマルチルームモードへの切替指令により複数ピックアップ付きＡＶ再生装置（２１）の各ピックアップ（４８，４９）に１個ずつ部屋（１２，１３）が割り当てられても、その或る部屋（１２，１３）を含む所定の部屋（１２，１３）のユーザが複数ピックアップ付きＡＶ再生装置（２１）の使用を止めたときは、その所定の部屋（１２，１３）用に複数ピックアップ付きＡＶ再生装置（２１）の１個のピックアップ（４８，４９）を割当てて置く意義はない。したがって、所定の部屋（１２，１３）のリモートコントローラ（２７）から指令が所定時間発せられなかったときは、そのユーザが複数ピックアップ付きＡＶ再生装置（２１）の使用を止めたときと判断することができ、その場合は、ＡＶ制御装置（２０）は、その所定の部屋（１２，１３）とは別の部屋（１２，１３）用のシングルルームモードに複数ピックアップ付きＡＶ再生装置（２１）の複数個のピックアップ（４８，４９）を割り当てて、複数ピックアップ付きＡＶ再生装置（２１）をその別の部屋（１２，１３）のユーザの使用に供して、便宜を与えることができる。
【００１３】
この発明のマルチルーム用ＡＶシステム（１０）によれば、シングルルームモードには第１のシングルルームモードと第１のシングルルームモードとを設定する。第１のシングルルームモードでは、そのシングルルームモードに対して複数個のピックアップ（４８，４９）が割り当てられている部屋（１２，１３）のＡＶ出力装置（２５ａ，２５ｂ）へＡＶ制御装置（２０）から配信するＡＶ信号を他のリモートコントローラ（２７）のＡＶ出力装置（２５ａ，２５ｂ）へも配信し、第２のシングルルームモードでは、他の部屋（１２，１３）のＡＶ出力装置（２５ａ，２５ｂ）へは配信しない。ＡＶ制御装置（２０）は、各部屋（１２，１３）のリモートコントローラ（２７）からの指令により第１及び第２のシングルルームモードを切替えるようになっている。
【００１４】
第１のシングルルームモードでは、ピックアップ（４８，４９）が割り当てられている部屋（１２，１３）と同じ曲やタイトル等を他の部屋（１２，１３）においても視聴することができる。第２のシングルルームモードでは、ピックアップ（４８，４９）が割り当てられている部屋（１２，１３）のユーザは、他の部屋（１２，１３）のユーザに自分の視聴している音楽等を視聴させないようにすることができる。
【００１５】
【発明の実施の形態】
以下、発明の実施の形態について図面を参照して説明する。図１はマルチルーム用ＡＶシステム１０の全体構成図である。建物内は、１個のメインルーム１１と複数のサブルーム１２，１３，１４，・・・に分かれている。メインルーム１１には、レシーバ２０、及びＡＶ機器としての２ピックアップ付きＣＤプレーヤ２１やＶＣＲ（ビデオカセットレコーダ）２２が配置される。レシーバ２０と２ピックアップ付きＣＤプレーヤ２１やＶＣＲ２２等とは複数本のケーブルを介して信号を送受し、レシーバ２０から２ピックアップ付きＣＤプレーヤ２１やＶＣＲ２２等のＡＶ機器へは制御信号が伝送され、２ピックアップ付きＣＤプレーヤ２１やＶＣＲ２２等のＡＶ再生機器からレシーバ２０へは再生時等にＡＶ信号が伝送され、レシーバ２０からＶＣＲ２２等のＡＶ記録機器へはダビング時等にレシーバ２０を経由したＡＶ信号が伝送される。左右の左右スピーカ２５ａ，２５ｂ、ハンディリモコン２７、及び送受信部２８は、メインルーム１１及びサブルーム１２，１３，１４，・・・の全部に装備される。モニター２６は、所定のルーム、図１では、メインルーム１１及びサブルーム１３のみに配置され、サブルーム１２，１４には配置を省略される。ユーザは、ハンディリモコン２７を介してマルチルーム用ＡＶシステム１０の操作に関する指令を指示し、この指令は赤外線等をキャリアに搬送されて、同じルーム内の送受信部２８に受信され、送受信部２８からケーブルを介してメインルーム１１のレシーバ２０へ伝送される。各左右スピーカ２５ａ，２５ｂ及びモニター２６は、個々にケーブルを介してレシーバ２０へ接続されており、レシーバ２０からそれぞれ音声信号及び映像信号を受信して、音声及び映像を出力する。ハンディリモコン２７は、また、液晶等による表示部を備え、送受信部２８を介してレシーバ２０よりデータを受け、それを表示できるようになっている。
【００１６】
図２はレシーバ２０及び２ピックアップ付きＣＤプレーヤ２１の主要部の概略構成図である。以降、マルチルーム用ＡＶシステム１０の機能を簡潔に説明するため、サブルームがサブルーム１２，１３の２個、存在し、サブルーム１２，１３のハンディリモコン２７より２ピックアップ付きＣＤプレーヤ２１を操作する場合について説明する。なお、ユーザは、メインルーム１１に居て、メインルーム１１のハンディリモコン２７を利用して、サブルーム１２，１３と同じことを実施できる。また、音声信号は左右計２個の音声信号が存在するが、図では、簡潔上、左右の音声信号を１個にまとめて図示している。レシーバ２０は、第１及び第２の出力端子３１，３２、及び第１及び第２の入力端子３３，３４を有し、第１及び第２の出力端子３１，３２は、それぞれサブルーム１２，１３の左右スピーカ２５ａ，２５ｂへ個々のケーブルを介して接続されている。第１及び第２のセレクタ３５，３６は、マイクロコンピュータ３７から制御信号を受けるとともに、第１及び第２の入力端子３３，３４から信号を入力される。第１及び第２の増幅器４０，４１は、入力される音声信号を増幅して、それぞれ第１及び第２の出力端子３１，３２へ出力する。第１のスイッチ４２、第２のスイッチ４３、及び第３のスイッチ４４はマイクロコンピュータ３７によりオン、オフを制御され、第１のスイッチ４２は、オン時では第１及び第２の増幅器４０，４１の入力端を相互に接続し、オフ時では相互の接続を断つ。第２のスイッチ４３は、オン時では第２のセレクタ３６の出力端と第２の増幅器４１の入力端とを相互に接続し、オフ時では相互の接続を断つ。第３のスイッチ４４は、オン時では第１のセレクタ３５の出力端と第１の増幅器４０の入力端とを相互に接続し、オフ時では相互の接続を断つ。第１及び第２の指令入力部４５，４６は、サブルーム１２，１３の送受信部２８へケーブルを介して接続され、各送受信部２８と信号をやり取りする。
【００１７】
レシーバ２０において、マルチルームモードでは、第１のスイッチ４２はオフとされ、第２及び第３のスイッチ４３，４４はオンとされる。これにより、第１及び第２の入力端子３３，３４の音声信号は、それぞれ第１及び第２の出力端子３１，３２を介してサブルーム１２，１３の左右スピーカ２５ａ，２５ｂへ伝送され、音声出力される。シングルルームモードでは、シングルルームモードを割り当てられるルームが存在し、割り当てられた方のルームに対応する第２のスイッチ４３又は第３のスイッチ４４がオンになる。すなわち、サブルーム１２に対してシングルルームモードが割り当てられると、第３のスイッチ４４がオンになって、第１の入力端子３３からの音声信号が第１の出力端子３１へ送られる。サブルーム１３に対してシングルルームモードが割り当てられると、第２のスイッチ４３がオンになって、第２の入力端子３４からの音声信号が第２の出力端子３２へ送られる。さらに、シングルルームモードには第１のシングルルームモードと第２のシングルルームモードとがあり、第１のシングルルームモードでは、第１のスイッチ４２がオンになって、シングルルームモードを割り当てられていない方のルームにも、シングルルームモードを割り当てられたルームと同じ音声信号を伝送して、同一の音楽等を聞けるようになる。第２のシングルルームモードでは、第１のスイッチ４２がオフになって、シングルルームモードを割り当てられていない方のルームへは、シングルルームモードを割り当てられた方のルームと同じ音声信号が伝送されず、同一の音楽等を聞けないようにする。
【００１８】
２ピックアップ付きＣＤプレーヤ２１は、複数個のＣＤを装填され、その内の２枚のＣＤが、メカ部４７へ運ばれて、それぞれメカ部４７の第１及び第２のピックアップ４８，４９により記録データを読み取られるようになっている。マイクロコンピュータ５０は、第１及び第２のピックアップ４８，４９を制御するとともに、レシーバ２０のマイクロコンピュータ３７と制御信号を相互にやり取り自在に、ケーブルを介して相互に接続されている。２ピックアップ付きＣＤプレーヤ２１の第１及び第２の出力端子５３，５４は個々にケーブルを介してそれぞれレシーバ２０の第１及び第２の入力端子３３，３４へ接続されている。第４のスイッチ５５、第５のスイッチ５６、及び第６のスイッチ５７はマイクロコンピュータ５０により制御され、第４のスイッチ５５は、オン時では第１及び第２のピックアップ４８，４９の出力端子を相互に接続し、オフ時では接続を断つ。第５のスイッチ５６は、オン時では第２のピックアップ４９の出力端子と第２の出力端子５４とを相互に接続し、オフ時では接続を断つ。第６のスイッチ５７は、オン時では第１のピックアップ４８の出力端子と第１の出力端子５３とを相互に接続し、オフ時では接続を断つ。
【００１９】
図３はハンディリモコン２７からルームモード切替指令が発されたときのレシーバ２０における処理のフローチャートである。なお、図３〜図５のフローチャートでは、第１のスイッチ４２、第２のスイッチ４３、第３のスイッチ４４、第４のスイッチ５５、第５のスイッチ５６、及び第６のスイッチ５７をそれぞれＳＷ１，ＳＷ２，ＳＷ３，ＳＷ４，ＳＷ５，ＳＷ６で示している。Ｓ６０では、ルームモード切替指令を受信したか否かを判定し、判定がＹＥＳである場合は、Ｓ６１へ進み、ＮＯである場合は、該ルーチンを終了する。Ｓ６１では、マルチルームモードへの切替かシングルルームモードへの切替かを判定し、マルチルームモードへの切替であれば、Ｓ６２へ進み、シングルルームモードへの切替であれば、Ｓ６７へ進む。Ｓ６２では、レシーバ２０をマルチルームモードとする。マルチルームモードへの切替に伴うレシーバ２０における処理の１つとして、Ｓ６３では、第１のスイッチ４２、第２のスイッチ４３、及び第３のスイッチ４４をそれぞれオフ、オン、及びオンにする。Ｓ６４では、２ピックアップ付きＣＤプレーヤ２１へマルチルームモードの対応処理を促すシステムコントロールコードを出力する。Ｓ６７では、シングルルームモードの指令がサブルーム１２，１３のどちらからあったかを検出する。この検出はレシーバ２０の第１及び第２の指令入力部４５，４６のどちらからルームモード指令を入力したかにより検出できる。以下、シングルルームモードを司令したルームを「シングルルームモード指令ルーム」と名付ける。Ｓ６８では、レシーバ２０をシングルルームモード指令ルームのシングルルームモードとする。シングルルームモードへの切替に伴うレシーバ２０における処理の１つとして、Ｓ６９では、第１のスイッチ４２、第２のスイッチ４３、及び第３のスイッチ４４のオン、オフをシングルルームモード指令ルームに対応させる。レシーバ２０がシングルルームモードとして第１のシングルルームモードを選択するように設定されている場合、シングルルームモード指令ルームがサブルーム１２であれば、第１のスイッチ４２、第２のスイッチ４３、及び第３のスイッチ４４はそれぞれオン、オフ、オンになり、シングルルームモード指令ルームがサブルーム１３であれば、第１のスイッチ４２、第２のスイッチ４３、及び第３のスイッチ４４はそれぞれオン、オン、オフとなる。レシーバ２０がシングルルームモードとして第２のシングルルームモードを選択するように設定されている場合、シングルルームモード指令ルームがサブルーム１２であれば、第１のスイッチ４２、第２のスイッチ４３、及び第３のスイッチ４４はそれぞれオフ、オフ、オンになり、シングルルームモード指令ルームがサブルーム１３であれば、第１のスイッチ４２、第２のスイッチ４３、及び第３のスイッチ４４はそれぞれオフ、オン、オフとなる。Ｓ７０では、２ピックアップ付きＣＤプレーヤ２１へシングルルームモードの対応処理を促すシステムコントロールコード及びシングルルームモード指令ルームを示すコードを出力する。
【００２０】
図４はレシーバ２０より２ピックアップ付きＣＤプレーヤ２１へルームモードのシステムコントロールコードが発せられたときの２ピックアップ付きＣＤプレーヤ２１における処理のフローチャートである。Ｓ７４では、２ピックアップ付きＣＤプレーヤ２１がレシーバ２０からルームモード切替のシステムコントロールコードを受信したか否かを判定し、判定がＹＥＳであれば、Ｓ７５へ進み、ＮＯであれば、該ルーチンを終了する。Ｓ７５では、受信したシステムコントロールコードがマルチルームモード及びシングルルームモードのいずれに係るかを判定し、マルチルームモードであれば、Ｓ７８へ進み、シングルルームモードであれば、Ｓ８３へ進む。Ｓ７８では２ピックアップ付きＣＤプレーヤ２１を並列出力モードにする。並列出力モードへの切替に伴う２ピックアップ付きＣＤプレーヤ２１における処理の１つとして、Ｓ７９では、第４のスイッチ５５、第５のスイッチ５６、及び第６のスイッチ５７をそれぞれオフ、オン、及びオンにする。Ｓ８３では、シングルルームモード指令ルームがサブルーム１２かサブルーム１３かのいずれに係るかを検出する。Ｓ８４では、２ピックアップ付きＣＤプレーヤ２１を直列出力モードにする。直列出力モードへの切替に伴う２ピックアップ付きＣＤプレーヤ２１における処理の１つとして、Ｓ８５では、第４のスイッチ５５、第５のスイッチ５６、及び第６のスイッチ５７のオン、オフをシングルルームモード指令ルームに対応させる。すなわち、第１のシングルルームモード及び第２のシングルルームモードに関係なく、シングルルームモード指令ルームがサブルーム１２であれば、第４のスイッチ５５、第５のスイッチ５６、及び第６のスイッチ５７はそれぞれオン、オフ、オンになり、シングルルームモード指令ルームがサブルーム１３であれば、第４のスイッチ５５、第５のスイッチ５６、及び第６のスイッチ５７はそれぞれオン、オン、オフになる。
【００２１】
図５はすでにマルチルームモード又はシングルルームモードに設定されている状態でレシーバ２０がサブルーム１２，１３の一方のルームのハンディリモコン２７からの指令を所定時間受付けなかったときのルームモード切替ルーチンのフローチャートである。Ｓ９１では、ハンディリモコン２７の操作が所定時間無かったルーム（＝レシーバ２０がハンディリモコン２７からの指令を所定時間受付けなかった方のルーム。以下、「リモコン操作無しルーム」と言う。）を検出する。Ｓ９２では、２ピックアップ付きＣＤプレーヤ２１においてリモコン操作無しルームとは別のルーム（＝リモコン操作無しルームがサブルーム１２のときは、サブルーム１３。リモコン操作無しルームがサブルーム１３のときはサブルーム１２。以下、「非リモコン操作無しルーム」と言う。）用の直列出力モードへ切替える。非リモコン操作無しルームの直列出力モードへの切替に伴う２ピックアップ付きＣＤプレーヤ２１における処理の１つとして、Ｓ９３では、第４のスイッチ５５がオンになるとともに、第５のスイッチ５６及び第６のスイッチ５７の内、リモコン操作無しルームに対応する方及び非リモコン操作無しルームに対応する方がそれぞれオフ及びオンになる。すなわち、第４のスイッチ５５、第５のスイッチ５６、及び第６のスイッチ５７は、（１）リモコン操作無しルーム及び非リモコン操作無しルームがそれぞれサブルーム１２，１３のときは、それぞれオン、オン、及びオフとなり、（２）リモコン操作無しルーム及び非リモコン操作無しルームがそれぞれサブルーム１３及びサブルーム１２のときは、それぞれオン、オフ、及びオンとなる。Ｓ９４では、どのルームを非リモコン操作無しルームとしてその直列出力モードへ切替えたかを２ピックアップ付きＣＤプレーヤ２１からレシーバ２０へシステムコントロールコードで通知する。Ｓ９５では、レシーバ２０は非リモコン操作無しルームのシングルルームモードへ切替えられる。この切替に伴うレシーバ２０における処理の１つとして、Ｓ９６では、第１のスイッチ４２は、第１のシングルルームモードでは、オンになり、第２のシングルルームモードでは、オフとなり、第２及び第３のスイッチ４３，４４の内、リモコン操作無しルームの方及び非リモコン操作無しルームの方はそれぞれオフ、及びオンとなる。すなわち、第１のスイッチ４２、第２のスイッチ４３、及び第３のスイッチ４４は、（１ａ）第１のシングルルームモードでかつリモコン操作無しルームの方及び非リモコン操作無しルームの方がそれぞれサブルーム１２，１３の場合は、オン、オン、及びオフとなり、（１ｂ）第１のシングルルームモードでかつリモコン操作無しルームの方及び非リモコン操作無しルームの方がそれぞれサブルーム１３及びサブルーム１２の場合は、オン、オフ、及びオンとなり、（２ａ）第２のシングルルームモードでかつリモコン操作無しルームの方及び非リモコン操作無しルームの方がそれぞれサブルーム１２，１３の場合は、オフ、オン、及びオフとなり、（２ｂ）第２のシングルルームモードでかつリモコン操作無しルームの方及び非リモコン操作無しルームの方がそれぞれサブルーム１３及びサブルーム１２の場合は、オフ、オフ、及びオンとなる。Ｓ９７では、２ピックアップ付きＣＤプレーヤ２１が非リモコン操作無しルーム（＝サブルーム１２又はサブルーム１３）の直列出力モードとなったことを、サブルーム１２，１３において送受信部２８よりハンディリモコン２７へ送信し、ハンディリモコン２７の表示部に表示する。
【００２２】
【発明の効果】
本発明によれば、異なるＡＶ記録媒体を複数個のピックアップにより並列に再生自在になっており各ピックアップの読み取りに基づく信号を並列に出力する並列出力モードと複数個のピックアップを１個ずつ読み取り作動させて各ピックアップの読み取りに基づく信号を直列に出力する直列出力モードとをもつ複数ピックアップ付きＡＶ再生装置、各部屋にリモートコントローラ及びリモコン信号受信部と共に配設されＡＶ信号を出力するＡＶ出力装置、及び前記複数ピックアップ付きＡＶ再生装置からの入力信号に基づくＡＶ信号を各部屋の前記ＡＶ出力装置へ配信自在であるとともに各リモコン信号受信部を介して各リモートコントローラからの指令を受信するＡＶ制御装置を有するマルチルーム用ＡＶシステムにおいて、１個の部屋に対して前記複数ピックアップ付きＡＶ再生装置の１個のピックアップを割り当てるとともに、他の１個の部屋に対して前記複数ピックアップ付きＡＶ再生装置の他の１個のピックアップを割り当てるマルチルームモードと、１個の部屋に対して前記複数ピックアップ付きＡＶ再生装置の複数個のピックアップを割り当てるシングルルームモードとを設定できるようにし、前記ＡＶ制御装置については、それが配設されている部屋以外の部屋におけるリモートコントローラよりマルチルームモード及びシングルルームモードの切替指令を受信してマルチルームモード及びシングルルームモードを切替え自在なものとし、さらに、マルチルームモードでは、前記複数ピックアップ付きＡＶ再生装置を並列出力モードへ切替えるとともに、前記複数ピックアップ付きＡＶ再生装置の並列出力に基づく各ＡＶ信号を、各ピックアップが割り当てられている部屋のＡＶ出力装置へ配信し、シングルルームモードでは、前記複数ピックアップ付きＡＶ再生装置を直列出力モードへ切替えるとともに、前記複数ピックアップ付きＡＶ再生装置の直列出力に基づくＡＶ信号を、シングルルームモードに係る部屋のＡＶ出力装置へ配信するようにしたため、次の効果を奏する。
【００２３】
すなわち、ユーザは、或る部屋において、リモートコントローラにより、マルチルームモードを指示することにより、システムを並列出力モードとし、並列出力モードの各ピックアップが割り当てられている各部屋において、各ピックアップによるＡＶ信号を複数ピックアップ付きＡＶ再生装置より並列出力させることができる。これによりＡＶ制御装置が、複数ピックアップ付きＡＶ再生装置の並列出力に基づく各ＡＶ信号を各部屋のＡＶ出力装置へ出力するので、各部屋のユーザは、割り当てられたピックアップに対応する音声や映像を視聴することができる。また、或る部屋において、シングルルームモードをＡＶ制御装置に対して指示することにより、複数ピックアップ付きＡＶ再生装置を直列出力モードとすることができるので、複数ピックアップ付きＡＶ再生装置の複数個のピックアップを、その或る部屋用に割り当てることができる。このとき、１個のピックアップの読み取り作動中は、他のピックアップは休止状態で待機することができるので、その或る部屋では、ＡＶ記録媒体の切替時の切替時間を短縮することができる。
【００２４】
このようにして、ユーザは、各部屋のリモートコントローラを使って、マルチルームモード及びシングルモードを切替え、複数ピックアップ付きＡＶ再生装置を共用し、有効利用することができる。
【００２５】
また、本発明によれば、システムが、或る部屋についてのシングルルームモードに設定されている場合に、ＡＶ制御装置が、その部屋のリモートコントローラからの指令を所定時間受け付けなかったときは、その部屋のシングルルームモードからの他の部屋のシングルルームモードへ切替えるようにしたため、その或る部屋のユーザが複数ピックアップ付きＡＶ再生装置の使用を止めて、その或る部屋用にシングルルームモードを割り当てておく意義がなくなった場合は、その或る部屋用のシングルルームモードを止めて、他の部屋用のシングルルームモードに複数ピックアップ付きＡＶ再生装置の複数個のピックアップを割り当てて、複数ピックアップ付きＡＶ再生装置を他の部屋のユーザの使用に供し、他の部屋のユーザに対して便宜を与えることができる。
【００２６】
また、本発明によれば、ＡＶ制御装置は、マルチルームモードになっている場合に所定の部屋のリモートコントローラからの指令を所定時間受け付けなかったときは、その所定の部屋とは別の部屋のシングルルームモードへ切替えるようにしたため、所定の部屋のユーザが複数ピックアップ付きＡＶ再生装置の使用を止めて、その所定の部屋用に複数ピックアップ付きＡＶ再生装置の１個のピックアップを割当てておく意義がなくなった場合は、その所定の部屋とは別の部屋用のシングルルームモードに複数ピックアップ付きＡＶ再生装置の複数個のピックアップを割り当てて、複数ピックアップ付きＡＶ再生装置をその別の部屋のユーザの使用に供し、その別の部屋のユーザに対して便宜を与えることができる。
【００２７】
また、本発明によれば、シングルルームモードとして、そのシングルルームモードに対して複数個のピックアップが割り当てられている部屋のＡＶ出力装置へＡＶ制御装置から配信するＡＶ信号を他のリモートコントローラのＡＶ出力装置へも配信する第１のシングルルームモードと、他の部屋のＡＶ出力装置へは配信しない第２のシングルルームモードとを設け、ＡＶ制御装置が、各部屋のリモートコントローラからの指令により第１及び第２のシングルルームモードを切替えるようにしたため、ユーザは、第１のシングルルームモードに切り替えることにより、ピックアップが割り当てられている部屋と同じ曲やタイトル等を他の部屋においても視聴することができる。また、第２のシングルルームモードに切り替えることにより、ピックアップが割り当てられている部屋のユーザは、他の部屋のユーザに自分の視聴している音楽等を視聴させないようにすることができる。
【図面の簡単な説明】
【図１】マルチルーム用ＡＶシステムの全体構成図である。
【図２】レシーバ及び２ピックアップ付きＣＤプレーヤの主要部の概略構成図である。
【図３】ハンディリモコンからルームモード切替指令が発されたときのレシーバにおける処理のフローチャートである。
【図４】レシーバより２ピックアップ付きＣＤプレーヤへルームモードのシステムコントロールコードが発せられたときの２ピックアップ付きＣＤプレーヤにおける処理のフローチャートである。
【図５】シングルルームモードに設定されている状態でレシーバがサブルームの一方のルームのハンディリモコンからの指令を所定時間受付けなかったときのルームモード切替ルーチンのフローチャートである。
【符号の説明】
１０    マルチルーム用ＡＶシステム
１１    メインルーム（部屋）
１２    サブルーム（部屋）
１３    サブルーム（部屋）
２０    レシーバ（ＡＶ制御装置）
２１    ２ピックアップ付きＣＤプレーヤ（複数ピックアップ付きＡＶ再生装置）
２５ａ，２５ｂ    左右スピーカ
２７    ハンディリモコン（リモートコントローラ）
２８    送受信部（リモコン信号受信部）
４８    第１のピックアップ
４９    第２のピックアップ
【図１】
0003576781.tif 000002
【図２】
0003576781.tif 000003
【図３】
0003576781.tif 000004
【図４】
0003576781.tif 000005
【図５】
0003576781.tif 000006